(57)【特許請求の範囲】
【請求項１】
シート原稿を積載可能に収納する給紙トレイと、該給紙トレイに積載されたシート原稿のサイズを検知するセンサと幅ガイド部材を備えた幅ガイドラック機構とを含む原稿自動送り装置を内部に備えた上部ユニットと、前記原稿自動送り装置から搬送されてきたシート原稿の画像を読取る画像読取り装置を備えた下部ユニットとを有するスキャナ装置において、
前記幅ガイドラック機構は前記給紙トレイの上方に該給紙トレイとは独立して設けられた基板上に設けられ、
該基板には、前記給紙トレイの幅方向に移動可能な一対の幅ガイド部材と、各幅ガイド部材から延長する一対のラックと、該各ラックの先端部付近に配設されて該ラックの移動を検出する前記センサと、前記一対のラックに係合してこれら一対のラックを反対方向にスライド移動させるピニオンとを有し、前記幅ガイド部材が前記基板より上方に延長し、スキャナ装置の上方より操作可能となっていることを特徴とするスキャナ装置。
【請求項２】
前記給紙トレイは、積載された原稿の一部を支持するための補助トレイを備え、該補助トレイは前記給紙トレイ内部に引き出し可能に収納されていることを特徴とする請求項１に記載のスキャナ装置。
【請求項３】
前記給紙トレイに対向する位置に、回動可能な前面扉をさらに備え、該前面扉は開放状態で補助排紙トレイとして機能することを特徴とする請求項１又は２に記載のスキャナ装置。
【請求項４】
装置筐体の外部両側面に、該スキャナ装置が摺動自在に支持されるスライド部材を対称的に備えたことを特徴とする請求項１〜３のいずれかに記載のスキャナ装置。
【請求項５】
上部に表示装置を支持した互いに対向する一対の脚部を有する台座の前記脚部の間に、請求項４に記載のスキャナ装置を前記スライド部材を摺動自在に支持させて収納し、当該スキャナ装置で読取った原稿の画像情報を前記表示部に表示可能に前記表示装置に接続したことを特徴とする情報表示システム。
【請求項６】
前記表示装置は、前記表示部の前面にタッチパネルを備えていることを特徴とする請求項５に記載の情報表示システム。
【発明の詳細な説明】
【技術分野】
【０００１】
本発明は、スタンドで支持される大型の表示装置の下方に設置するのに好適なスキャナ装置及び同スキャナ装置を備えた情報表示システムに関する。
【背景技術】
【０００２】
近年、電子会議システムとして、タッチペンなどの直接入力手段を用いて大型液晶画面上に議事内容を自由な書式で直接的に書き込み、それらの議事内容を全て電子化し、会議終了後の文書管理、参加者への配布、内容の加工などを簡単に実行する電子会議システムが提案されている。
また、会議を行なっている最中に追加のシートを電子化して表示装置に取り込むために、表示装置にネットワークを介してスキャナ装置を接続させるシステム形態についても提案されている。
【０００３】
しかしながら、プレゼンにおいては常にスキャナ装置が必要であるというわけではないため、逆に表示装置を用いて会議を行う際に、表示装置に接続されたスキャナ装置が邪魔になることもある。そこで、表示装置を支持する台座の下側にスキャナ装置を設置すれば、上記のような電子会議システムを簡単に構成することができる。そのためにはスキャナ装置の筐体外に突出している給紙トレイを装置筐体内に収納するなどしてコンパク化を図る必要がある。
しかし、用紙サイズ検知機能を備えた給紙装置においては、通常、幅ガイドラック機構が給紙トレイの下側に設けられている。（例えば、特許文献１参照）
【特許文献１】特開平６−９０６４号公報
【発明の開示】
【発明が解決しようとする課題】
【０００４】
したがって、スキャナ装置の更なるコンパクト化を図るうえで、給紙トレイをより内部に収納させる構造を採用しようとしても、上記従来技術のように給紙トレイの下側に原稿の幅サイズを検出するためのサイズ検知機構が設けられている場合、給紙トレイをより内部に収納させることが出来ない。
また、給紙トレイを装置本体の筐体内に収納したのでは外部から幅ガイド部材を操作することができないという問題があった。
【０００５】
本発明は、上記の問題に鑑み、給紙トレイおよび原稿サイズを検知する機能を備えた幅ガイドラック機構を、コンパクトに装置内に収納すると共に、筐体の外部から該幅ガイドラック機構を操作可能とし、表示装置の台座の下側設置にできるコンパクトなスキャナ装置および当該スキャナ装置を備えた情報表示システムを提供することを目的としたものである。
【課題を解決するための手段】
【０００６】
上記の課題を達成するために、本発明の第１の技術手段は、シート原稿を積載可能に収納する給紙トレイと、該給紙トレイに積載されたシート原稿のサイズを検知するセンサと幅ガイド部材を備えた幅ガイドラック機構とを含む原稿自動送り装置を内部に備えた上部ユニットと、前記原稿自動送り装置から搬送されてきたシート原稿の画像を読取る画像読取り装置を備えた下部ユニットとを有するスキャナ装置において、前記幅ガイドラック機構は前記給紙トレイの上方に該給紙トレイとは独立して設けられた基板上に設けられ、該基板には、前記給紙トレイの幅方向に移動可能な一対の幅ガイド部材と、各幅ガイド部材から延長する一対のラックと、該各ラックの先端部付近に配設されて該ラックの移動を検出する前記センサと、前記一対のラックに係合してこれら一対のラックを反対方向にスライド移動させるピニオンとを有し、前記幅ガイド部材が前記基板より上方に延長し、スキャナ装置の上方より操作可能となっていることを特徴とする。
【０００８】
第２の技術手段は、第１の技術手段において、前記給紙トレイは、積載された原稿の一部を支持するための補助トレイを備え、該補助トレイは前記給紙トレイ内部に引き出し可能に収納されていることを特徴とする。
【０００９】
第３の技術手段は、第１又は２の技術手段において、前記給紙トレイに対向する位置に、回動可能な前面扉をさらに備え、該前面扉は開放状態で補助排紙トレイとして機能することを特徴とする。
【００１０】
第４の技術手段は、第１〜３のいずれかの技術手段であるスキャナ装置であって、装置筐体の外部両側面に、該スキャナ装置が摺動自在に支持されるスライド部材を対称的に備えたことを特徴とする。
【００１１】
第５の技術手段は、上部に表示装置を支持した互いに対向する一対の脚部を有する台座の前記脚部の間に、前記第４の技術手段のスキャナ装置を前記スライド部材を摺動自在に支持させて収納し、当該スキャナ装置で読取った原稿の画像情報を前記表示部に表示可能に前記表示装置に接続したことを特徴とする。
【００１２】
第６の技術手段は、第５の技術手段において、前記表示装置は、前記表示部の前面にタッチパネルを備えていることを特徴とする。
【発明の効果】
【００１３】
本発明によれば、給紙トレイおよび原稿サイズ検知機能を備えた幅ガイドラック機構を別体に独立した構造で構成でき、それにより、スキャナ装置の給紙部全体を装置内に収納可能したコンパクトなスキャナ装置を実現することができる。
また、本発明によれば、情報表示システムにおける表示装置を支持した台座に設けられた狭い収納空間に容易にスキャナ装置を収納することができ、台座の前方に給紙トレイが突出することもなく、プレゼンを行うユーザ等にとってフレンドリでコンパクトな構成の情報表示システムを実現できる。
【発明を実施するための最良の形態】
【００１４】
以下、本発明の実施の形態について、図面を参照しながら説明する。
図１は、大形の表示装置を支持した台座の下側に本発明に係るスキャナ装置やプリンタなどの電子機器を収納設置して構成される電子会議等に好適な情報表示システムの外観を示す図である。
表示装置１０を支持する台座２０は、一対の脚部２１，２１、基台２２、転倒防止脚２３を備えており、基台２２の底部には移動用キャスター（移動用車輪）２８が設けられている。台座２０の左右脚部２１，２１の内側には後述するスキャナ装置５０を引き出し自在に収納可能にするレール２１ａ，２１ａが取り付けられている。
【００１５】
図２は、転倒防止脚２３についての説明図である。転倒防止脚２３は基台２２に対してスライド可能になっており、底部には転倒防止用キャスター２９が取り付けられている。台座２０を転倒防止状態にするには、図２（Ａ）の状態から固定ピン２６を引き抜き、解除レバー２４に手を掛けて引っ張ることにより転倒防止脚２３を引き出し、載置部２３ａに設けられている固定穴２７ｂを固定金具２５の位置に合わせて固定ピン２６を挿入し、図２（Ｂ）の状態にする。転倒防止用キャスター２９は転倒防止脚２３が収納されている状態では床面から離れ、引き出した状態で床面に接触するようにしておくと転倒防止脚を楽に引き出すことができる。
【００１６】
上記のような台座２０に電子機器を収納するようにすれば、例えば、図３に示すように、常時使用するわけではないプリンタ３０やスキャナ装置５０を台座２０に収納してくことができ、表示装置１０を操作しながらプレゼンを行うユーザにとって邪魔になることがない。なお、図３に示す表示装置では、会議を進行させている進行役のユーザの操作性を考え、初期画面表示設定等に利用される操作入力部１３、タッチペンを入れておくタッチペンホルダ１４および電源スイッチ１５を右端に設けている。
【００１７】
図４は、本発明に係る情報表示システムの全体ブロック図で、表示装置１０は、表示パネル部１１と、表示パネル部１１の前面に設けられたタッチパネル部１２からなり、タッチパネル部１２に対するタッチ部分の座標を検出し、タッチ操作に基づいてさまざまな情報を表示することができる。表示装置１０には情報処理装置（ＰＣ）４０が接続され、表示パネル部１１で表示するための情報を出力する。プリンタ３０は、表示パネル部１１で表示された表示情報を印字出力する装置であり、本発明の情報表示システムにおける電子機器に相当する。スキャナ装置５０は、シート原稿から読み取った情報を電子化するためのものであり、読み取ったデータを、報処理装置（ＰＣ）４０を介して表示パネル部１１に表示させても良いし、表示装置１０が画像処理機能を備えている場合には、スキャナ装置５０から表示装置１０に直接データを送っても良い。
【００１８】
図５は、本発明の実施形態に係る情報表示システムを説明するための図で、本実施形態では、表示装置１０の背面に情報処理装置４０が設置されており、図５（Ａ）はプリンタ３０が載置された転倒防止脚２３およびスキャナ装置５０が台座２０の収納空間に収納されている状態を示している。図５（Ｂ）は、転倒防止脚２３の載置部２３ａに載置されたプリンタ３０およびスキャナ装置５０が引き出された状態を示しており、スキャナ装置５０の両外側面には、後述するように台座２０の内側に設けられているレール２１ａ上をスライドするスライド部材５４が取り付けられている。
【００１９】
図６は、上述した情報表示システムにおけるプリンタ３０の利用状況を示す図であり、転倒防止脚２３を手前に引き、載置部２３ａに載置されたプリンタ３０を引き出すことにより、カバー３１を開けて現像剤カートリッジの交換などを行うことができる。
図７は、上述した情報表示システムに好適なスキャナ装置の一例を示す。スキャナ装置５０は、図７（Ａ）に示すように、前面に原稿挿入口５５ａおよび原稿排出口５５ｂを備えた上部ユニット５１を回動軸５３により回動可能な構造になっており、例えば、ジャムが発生した場合、本体の側部に設けたスライド部材５４が台座２１側のレール２１ａに係合した状態で台座２０の収納空間に収納されているスキャナ装置５０を手前に引き出し、自動原稿送り装置を内蔵している上部ユニット５１を、図７（Ｂ）に示すように回動させ、シート搬送路の一部を開放してジャムした原稿を取り除く。
【００２０】
上記のスキャナ装置５０によれば、原稿自動読取りモードの場合、原稿をセットした後は台座２０の収納空間に収納した状態でスキャナ装置を利用することができ、ジャムが発生した際は台座２０から引き出してジャムした原稿を容易に取り除くことができる。これにより、表示装置の前面の空間を有効に活用することできる。
【００２１】
上部ユニット５１を回動させて搬送路を開放させる側は、図３に示したような大型ディスプレイの場合、操作入力部１３、タッチペンホルダ１４、電源スイッチ１５等が設けられている側になっている方が会議の進行役を務めているユーザにとって、ジャムしたシートを取り出しやすい側、例えば、図３に示す例では右側になっていると操作性が良くなる。
【００２２】
図８は、本発明の実施形態に係るスキャナ装置を説明するための図で、スキャナ装置５０の筐体内の主要な構成を模式的に表している。
【００２３】
スキャナ装置５０は、自動原稿送り装置を構成する上部ユニット５１と画像読取装置を構成する下部ユニット５２に大別される。上部ユニット５１は、複数枚の原稿からなる原稿束を積載する給紙トレイ６１、原稿シートのサイズ（幅）を検知する機能を備えた幅ガイドラック機構６２、給紙トレイ６１にセットされた原稿シートを１枚ずつ取り出す給紙ローラ７１、取り出された原稿シートを搬送するための複数のフィードロール７２、原稿シートを第１プラテンガラス８４に圧接する圧接ローラ７３、読取りが終了した原稿を排紙するための排紙ローラ７４および排紙トレイ７５を備えている。
【００２４】
幅ガイドラック機構６２は、給紙トレイ６１の上方に給紙トレイ６１とは独立して設けられてしており、給紙トレイと幅ガイドラック機構とはそれぞれ別体にコンパクトな構造に構成できる。
【００２５】
図９は、給紙トレイ６１の上に積載された原稿のサイズを検知するための幅ガイドラック機構の構造を示す。給紙トレイ６１の上方の基板６３に構成されており、図は給紙トレイ６１の方向（図８の矢印Ａ）から見た幅ガイドラック機構６２を模式的に示したものでる。
基板６３には、幅ガイド部材６４ａ，６４ｂを矢印Ｂ方向に移動するガイドスロット６３ａ，６３ｂが形成され、各幅ガイド部材６４ａ，６４ｂのスライド移動が可能になっている。
各幅ガイド部材６４ａ，６４ｂにはラック６５ａ，６５ｂが取り付けられ、当該ラックはそれぞれピニオン６６と係合して相互に連動して移動する。ラック６５ａ，６５ｂの先端部付近にセンサ６７ａ，６７ｂが配置され、幅ガイド部材６４ａ，６４ｂを原稿のサイズ合わせて矢印Ｂの方向にスライドさせることによりラック６５ａ，６５ｂの位置（移動量）を検出することで原稿のサイズを検出する。
【００２６】
図示の実施形態では、スキャナ装置５０の上面には凹部６８が設けられ、スキャナ装置５０の上部から幅ガイド部材６４ａ，６４ｂを操作する操作部材６９ａ，６９ｂが配置され、基板６３に形成されたスロットガイド６３ａ，６３ｂを貫通して下部の幅ガイド部材６４ａ，６４ｂに連結している。この操作部材６９ａ，６９ｂにより装置の外部から幅ガイドラック機構６２を操作することが可能である。
【００２７】
なお、幅ガイド部材６４ａ，６４ｂの操作は、前面扉５５′を開放すれば装置前方より直接幅ガイド部材６４ａ，６４ｂをスライド移動させることができるので、操作部材６９ａ，６９ｂを省略設することもできるが、この構成を備えている場合、原稿をセットした給紙トレイを装置内に装着して前面扉を閉じた状態で幅ガイド部材の操作を行うことができる。
【００２８】
下部ユニット５２は、原稿の画像表面を露光する露光ランプと、原稿からの反射光像を所定の方向に向かって変更するミラーとを有する走査ユニット８１、走査ユニット８１のミラーから得られた光学像を光学的に縮小する結像用レンズ８２、結像用レンズ８２によって結像された光学像を順次光電変換し、電気信号として出力するＣＣＤ（Ｃｈａｒｇｅ  Ｃｏｕｐｌｅｄ  Ｄｅｖｉｃｅ）イメージセンサ８３、上部ユニット５１の原稿送り装置によって搬送されてきた原稿を読み取るための光の開口部を形成する第１プラテンガラス８４、画像を読み込むべき原稿を静止させた状態で読取るための第２プラテンガラス８５を備えている。ＣＣＤイメージセンサ８３によって得られた画像信号は図示しない信号処理回路に送られる。
【００２９】
図１０は、給紙トレイ６１の詳細を説明するための図で、給紙トレイ６１は、主トレイ６１ａ、主トレイ６１ａに引き出し自在に収納される補助トレイ６１ｂ、補助トレイ６１ｂに引き出し自在に収納される補助トレイ６１ｃを備えており、原稿がスキャナ装置内に収まらないサイズの場合は前面扉５５′を開放し、これら補助トレイ６１ｂ、６１ｃを引き出すことにより、大きなサイズの原稿に対応できるようになっている。なお、前面扉５５′は、開放した場合に排紙トレイにもなる。また、本実施例における前面扉５５′にも、図７に示したスキャナ装置の場合のように、原稿挿入口と原稿排出口を設けるようにしても良い。
【００３０】
図１１、図１２は、原稿がセットされた際に、最下層に位置する原稿まで確実なガイドを可能にするための実施形態を説明するための図である。
図１１は、最下層に位置する原稿の確実なガイドを可能にするための別の形状の幅ガイド部材を備えた幅ガイドラック機構の模式図を示し、図１２は、図１１に示す別の幅ガイド部材とトレイの関連構造を示す斜示図である。
本実施例における別の幅ガイド部材６４′ａ，６４′ｂは、給紙トレイ６１に積載された原稿の最下層に位置する原稿まで確実にガイドできるようにするために、主トレイ６１aの下側まで延びる延設部６４′ｃ，６４′ｄを有している。
【００３１】
引き出し自在な補助トレイ６１′ｂ，６１′ｃは、幅ガイド部材６４′ａ，６４′ｂが幅方向（図１２矢印Ｃ）に移動して検知できる最小サイズの原稿の幅寸法よりも段階的に小さくしてある。
本実施形態のように補助トレイが２段ある場合は、２段目の補助トレイ６１′ｂの幅を読取り可能な最小サイズの用紙の幅よりも小さい寸法とし、幅サイズガイド部材６４′ａ，６４′ｂの端部に図１２に示すように延設部６４′ｃ，６４′ｄを形成し、当該延設部を主トレイ６１′ａの下側まで突出させることにより、最下層に位置する原稿まで確実に幅ガイド部材によりガイドさせることが可能になる。
【００３２】
なお、図８〜図１０で説明した実施形態の場合でも、給紙トレイ６１（主トレイ６１ａ）の上面に幅ガイド部材が移動する領域に対応して凹部を設けるようにすれば、積載されている原稿の一番下まで確実に幅ガイド部材によりガイドさせることが可能になる。
【図面の簡単な説明】
【００３３】
【図１】本発明の情報表示システムに用いられる表示装置と台座の外観を示す図である。
【図２】図１に示した転倒防止脚を説明するための図である。
【図３】本発明が対象とする情報表示システムの利用状況を示す図である。
【図４】図３の情報表示システムの構成ブロック図である。
【図５】本発明の実施形態に係る情報表示システムの説明図である。
【図６】図１に示した転倒防止脚を備えた台座を利用した情報表示システムにおける電子機器（プリンタ）の利用状態をについて説明する図である。
【図７】本発明の情報表示システムに好適なスキャナ装置の一例を示す図である。
【図８】本発明の実施形態に係るスキャナ装置の筐体内の主要構成を模式的に示す図である。
【図９】本発明の実施形態に係るスキャナ装置における幅ガイドラック機構を模式的に示す図である。
【図１０】本発明の実施形態に係るスキャナ装置における給紙トレイの詳細説明図である。
【図１１】形状を異ならせた幅ガイド部材を備えた幅ガイドラック機構を示す図である。
【図１２】別の形状の幅ガイド部材と補助トレイを示す斜示図である。
【符号の説明】
【００３４】
１０…表示装置、１１…表示パネル部、１２…タッチパネルパネル部、１３…操作入力部、１４…タッチペンホルダ、１５…電源スイッチ、２０…台座（スタンド）、２１…脚部、２１ａ…レール、２２…基台、２２ａ…レール、２３…転倒防止脚、２３ａ…載置部、２３ｂ…スライドバー、２４…解除レバー、２５…固定金具、２６…固定ピン、２７ａ、２７ｂ…固定用穴、２８…移動用キャスター、２９…転倒防止用キャスター、３０…電子機器（プリンタ）、４０…情報処理装置（ＰＣ）、５０…スキャナ装置、５１…上部ユニット（原稿自動送り装置）、５２…下部ユニット（画像読取装置）、５３…回転軸、５４…スライド部材、５５…前面板、５５ａ…原稿挿入口、５５ｂ…原稿排出口、５５′…前面扉、６１…給紙トレイ、６１ａ，６１′ａ…主トレイ、６１ｂ，６１′ｂ…補助トレイ、６１ｃ，６１′ｃ…補助トレイ、６２…幅ガイドラック機構（原稿サイズ検知機構）、６３…基板、６３ａ，６３ｂ…ガイドスロット、６４ａ，６４′ａ，６４ｂ，６４′ｂ…幅ガイド部材、６４′ｃ，６４′ｄ…延設部、６５ａ，６５ｂ…ラック、６６…ピニオン、６７ａ，６７ｂ…センサ、６８…凹部、６９ａ、６９ｂ…操作部、７１…給紙ローラ、７２…フィードロール、７３…，圧接ローラ、７４…排紙ローラ、７５…排紙トレイ、８１…走査ユニット、８２…結像用レンズ、８３…ＣＣＤイメージセンサ、８４…第１プラテンガラス、８５…第２プラテンガラス。
【図１】
0004362613.tif 000002
【図２】
0004362613.tif 000003
【図３】
0004362613.tif 000004
【図４】
0004362613.tif 000005
【図５】
0004362613.tif 000006
【図６】
0004362613.tif 000007
【図７】
0004362613.tif 000008
【図８】
0004362613.tif 000009
【図９】
0004362613.tif 000010
【図１０】
0004362613.tif 000011
【図１１】
0004362613.tif 000012
【図１２】
0004362613.tif 000013